(57)【要約】【課題】排気口より入り込む不純物を収集することで、故障や異常が生じることを抑制できる燃料電池装置を提供する。【解決手段】複数の燃料電池セルを収納容器内に収納してなる燃料電池モジュール４と、燃料電池モジュール４より排出される排ガスの熱を回収するための熱交換器７とを外装ケース２に収納してなり、外装ケース２は、熱交換器７にて熱交換された後の排ガスを外装ケース２の外部に排気するための排気口８を備えるとともに、熱交換７と排気口８とが、排気流路の途中に排気口８より入り込む不純物を収集するためのセパレート部材９を介して接続されていることから、不純物が熱交換器７や燃料電池モジュール４に入り込むことを抑制できる。【選択図】図１
2009181701.tif 000002
【特許請求の範囲】
【請求項１】
複数の燃料電池セルを収納容器内に収納してなる燃料電池モジュールと、該燃料電池モジュールより排出される排ガスの熱を回収するための熱交換器とを外装ケースに収納してなり、該外装ケースは、前記熱交換器にて熱交換された後の排ガスを前記外装ケースの外部に排気するための排気口を備えるとともに、前記熱交換器と前記排気口とが、排気流路の途中に前記排気口より入り込む不純物を収集するためのセパレート部材を介して接続されていることを特徴とする燃料電池装置。
【請求項２】
前記排気口が前記外装ケースの上面もしくは側面に設けられていることを特徴とする請求項１に記載の燃料電池装置。
【請求項３】
前記熱交換器と前記セパレート部材とが、熱交換により生じる凝縮水と熱交換後の排ガスとを分離するための気液分離部材を介して接続されていることを特徴とする請求項１または請求項２に記載の燃料電池装置。
【請求項４】
前記セパレート部材が前記気液分離部材よりも高い位置に配置されていることを特徴とする請求項１乃至請求項３のうちいずれかに記載の燃料電池装置。
【請求項５】
前記セパレート部材が前記気液分離部材よりも低い位置に配置されていることを特徴とする請求項１乃至請求項３のうちいずれかに記載の燃料電池装置。
【請求項６】
前記気液分離部材と前記セパレート部材とが排気管にて接続され、該排気管が一旦上方に向かった後下方に折り返すように屈曲した形状であることを特徴とする請求項１乃至請求項５のうちいずれかに記載の燃料電池装置。
【発明の詳細な説明】
【技術分野】
【０００１】
本発明は、燃料電池モジュールと、燃料電池モジュールからの排ガスと水とで熱交換するための熱交換器とを具備する燃料電池装置に関する。
【背景技術】
【０００２】
近年、次世代エネルギーとして、水素含有ガスと空気（酸素含有ガス）とを用いて電力を得ることができる燃料電池セルの複数個を電気的に直列に接続してなる燃料電池セルスタックを収納容器に収納してなる燃料電池モジュールを外装ケースに収納してなる燃料電池装置、さらにはその運転方法（システム）が種々提案されている。
【０００３】
このような燃料電池装置においては、燃料電池モジュールより排出される排ガスを有効利用すべく、排ガスの熱と水とで熱交換するための熱交換器を具備するとともに、熱交換器にて熱交換が行われた後の排ガスは、燃料電池装置の側面や上面に設けられた排気口より外部に排気することが提案されている（例えば、特許文献１参照。）。
【特許文献１】特開２００７−２３４３７４号公報
【発明の開示】
【発明が解決しようとする課題】
【０００４】
ところで、燃料電池装置（外装ケース）を屋外に設置した場合に、燃料電池装置の内部に雨水や風等が排気口から入り込む場合がある。この場合、雨水や風に含まれる不純物（雨水においては雨水に溶解している各種成分、風においてはほこり等）が熱交換器内や収納容器（燃料電池モジュール）内に入り込み、燃料電池装置に故障や異常が生じるおそれがある。
【０００５】
また、不純物を多く含む雨水が、外装ケース内に入り込むことで熱交換により生じた凝縮水と混合する場合においては、凝縮水を浄化するためのイオン交換樹脂等の水処理装置の寿命が短くなるおそれもある。
【０００６】
したがって、本発明は、燃料電池装置の稼動に伴い生じる排ガスを排気するための排気口より雨水や風等が入り込んだ場合において、雨水や風に含まれる不純物を効率よく排出でき、燃料電池装置の故障や異常を抑制（防止）することが可能な燃料電池装置を提供することを目的とする。
【課題を解決するための手段】
【０００７】
本発明の燃料電池装置は、複数の燃料電池セルを収納容器内に収納してなる燃料電池モジュールと、該燃料電池モジュールより排出される排ガスの熱を回収するための熱交換器とを外装ケースに収納してなり、該外装ケースは、前記熱交換器にて熱交換された後の排ガスを前記外装ケースの外部に排気するための排気口を備えるとともに、前記熱交換器と前記排気口とが、排気流路の途中に前記排気口より入り込む不純物を収集するためのセパレート部材を介して接続されていることを特徴とする。
【０００８】
このような燃料電池装置においては、熱交換器と排気口とが排気流路の途中にセパレート部材を介して接続されていることから、排気口より入り込む雨水や、風に含まれるほこり等をセパレート部材にて収集することができる。
【０００９】
したがって、熱交換器内や燃料電池モジュール内に、雨水や、風に含まれるほこり等の不純物が入り込むことを抑制でき、故障や異常の発生を抑制することができる燃料電池装置とすることができる。
【００１０】
また、本発明の燃料電池装置は、前記排気口が前記外装ケースの上面もしくは側面に設けられていることが好ましい。
【００１１】
このような燃料電池装置においては、排気口が外装ケースの上面もしくは側面に設けられていることから、雨水や、風に含まれるほこり等の不純物が燃料電池装置内に入り込みやすくなる。
【００１２】
それゆえ、セパレート部材を有効に活用して、熱交換器や燃料電池モジュール内に、雨水や、風に含まれるほこり等の不純物が入り込むことを抑制でき、故障や異常の発生を抑制することができる燃料電池装置とすることができる。
【００１３】
また、本発明の燃料電池装置は、前記熱交換器と前記セパレート部材とが、熱交換により生じる凝縮水と熱交換後の排ガスとを分離するための気液分離部材を介して接続されていることが好ましい。
【００１４】
このような燃料電池装置においては、熱交換器とセパレート部材とを気液分離部材を解して接続する、すなわち、熱交換器とセパレート部材との間に気液分離部材が配置されていることから、気液分離部材により熱交換器での熱交換により生じる凝縮水を効率よく回収することができる。
【００１５】
また、気液分離部材と、セパレート部材と、排気口とが順に接続されていることから、気液分離部材にて分離された熱交換後の排ガスは、セパレート部材と排気口とを介して外装ケースの外部に排気することができる。
【００１６】
そして、あわせて外部より入りこむ不純物が、熱交換器や燃料電池モジュール内に入り込むことを抑制できることから、熱交換器での熱交換により生じる凝縮水に雨水が混合することも抑制でき、凝縮水を浄化するためのイオン交換樹脂等の水処理装置の寿命が短くなることも抑制できる。
【００１７】
また、本発明の燃料電池装置は、前記セパレート部材が前記気液分離部材よりも高い位置に配置されていることが好ましい。
【００１８】
このような燃料電池装置においては、セパレート部材が気液分離部材よりも高い位置に配置されていることから、熱交換後の排ガスがセパレート部材に向けて流れている間に凝縮水が生成された場合には、凝縮水は気液分離部材側に流れやすくなり、それにより凝縮水をより多く回収することができる。
【００１９】
また、本発明の燃料電池装置は、前記セパレート部材が前記気液分離部材よりも低い位置に配置されていることが好ましい。
【００２０】
このような燃料電池装置においては、セパレート部材が気液分離部材よりも低い位置に配置されていることから、排気口より風が入り込んだ場合に、風に含まれる不純物はセパレート部材より排出するとともに、風自体が熱交換器側に流れ込むことを抑制することができる。それにより、故障や異常の発生を抑制することができる。
【００２１】
また、本発明の燃料電池装置は、前記気液分離部材と前記セパレート部材とが排気管にて接続され、該排気管が一旦上方に向かった後下方に折り返すように屈曲した形状であることが好ましい。
【００２２】
このような燃料電池装置においては、気液分離部材とセパレート部材とを接続する排気管が一旦上方に向かった後下方に折り返すように屈曲していることから、排気口より風が入り込んだ場合に、風自体が熱交換器側に流れ込むことを抑制することができるとともに、熱交換後の排ガスが気液分離部材から上方に向けて流れる間に凝縮水をさらに生成できる。
【００２３】
それゆえ、故障や異常の発生を抑制することができるとともに、凝縮水をより多く回収することができる燃料電池装置とすることができる。
【発明の効果】
【００２４】
本発明の燃料電池装置は、複数の燃料電池セルを収納容器内に収納してなる燃料電池モジュールと、燃料電池モジュールより排出される排ガスの熱を回収するための熱交換器とを外装ケースに収納してなり、外装ケースは、熱交換器にて熱交換された後の排ガスを外装ケースの外部に排気するための排気口を備えるとともに、熱交換器と排気口とが、排気流路の途中に排気口より入り込む不純物を収集するためのセパレート部材を介して接続されていることから、排気口より入り込む雨水や、風に含まれるほこり等を収集することができ、それにより故障や異常の発生を抑制することができる。
【発明を実施するための最良の形態】
【００２５】
図１および図２は、本発明の燃料電池装置１および燃料電池装置２１を概略的に示す側面図であり、外装ケース２を構成する側面部を取り外して、外装ケース２の内部が見えるようにして示している。なお、以降の図において同一の構成については、同一の番号を付与するものとする。また、図１および図２に示した燃料電池装置の構成については、燃料電池装置１を用いて説明する。
【００２６】
図１において、燃料電池装置１は、外装ケース２内に仕切部材３を有し、仕切部材３の上部に、収納容器内に複数の燃料電池セルを収納してなる燃料電池モジュール４（以下、モジュール４という場合がある。）が配置された燃料電池モジュール収納室５（以下、モジュール収納室という場合がある。）が形成されている。また、仕切部材３の下部にはモジュール４を動作させるにあたり必要な補機類（図１においては、後述するモジュール４の排ガスと水とで熱交換を行う熱交換器７を示している。）を収納するための補機収納室６が形成されている。なお、仕切部材３はモジュール収納室５と補機収納室６とを区画していればよく、モジュール収納室５と補機収納室６とが隙間を有して区画されていてもよい。
【００２７】
また、例えば外装ケース２を仕切部材３により左右に区画するとともに、一方がモジュール４を収納するモジュール収納室５、他方が補機類を収納する補機収納室６とした燃料電池装置１とすることもできる。
【００２８】
なお、図１に示したような仕切部材３を用いて、外装ケース２を上下に区画した形状とすることにより、燃料電池装置１をコンパクトな形状とすることができる。
【００２９】
ここで、本発明の燃料電池装置１において使用するモジュール４について以下に説明する。モジュール４は、収納容器内に、例えば、内部をガスが流通するガス流路を有する柱状の燃料電池セルを立設させた状態で配列し、隣接する燃料電池セル間に集電部材を介して電気的に直列に接続するとともに、燃料電池セルの下端をガラスシール材等の絶縁性接合材でマニホールドに固定してなるセルスタックと、燃料電池セルの上方に配置され、燃料電池セルに水素含有ガスを供給するための改質器とを収納して構成される（図示せず）。
【００３０】
ここで、セルスタックを構成する燃料電池セルとしては、各種燃料電池セルが知られているが、燃料電池装置１を小型化する上で、固体酸化物形燃料電池セルとすることができる。それにより、燃料電池セルのほか、燃料電池セルの動作に必要な補機類を小型化することができ、燃料電池装置１を小型化することができる。またあわせて、家庭用燃料電池で求められる変動する負荷に追従する負荷追従運転を行なうことができる。
【００３１】
なお、燃料電池セルの形状としては各種形状の燃料電池セルを用いることができるが、効率よく燃料電池セルの発電を行なう上で、中空平板型の燃料電池セルとすることができる。このような中空平板型の燃料電池セルとしては、内側に燃料極が、外側に酸素極が形成された燃料極支持タイプの中空平板型燃料電池を用いることができる。
【００３２】
燃料電池セルは、改質器より供給される水素含有ガスと、収納容器の外部より供給される酸素含有ガスとにより発電を行なう。なお、発電において余剰となった水素含有ガスは、燃料電池セルの上方にて収納容器の外部より供給される酸素含有ガスと燃焼させることにより、燃料電池セルの上方に配置された改質器を加熱することができ、それにより改質反応を効率よく行なうことができる。
【００３３】
ここで、燃料電池装置１の稼動に伴ってモジュール４にて生じる排ガス中に含まれる一酸化炭素などの有害成分を排ガス処理装置（図示せず）にて処理した後の排ガスが熱交換器７に供給され、排ガス（処理後の排ガス）と水とで熱交換されることとなる。
【００３４】
図１においては、熱交換器７の内部に設けられ、水を流通させる水流通路を斜線にて示し、排ガスを流通させる排ガス流通路がその水流通路と隣接して設けられているプレートフィン型の熱交換器７を模式的に示している。ここで、図１における燃料電池装置１においては、熱交換器７の内部に設けられた排ガス流通路が上下方向を向き、処理後の排ガスが排ガス流通路を上から下に流通するように、熱交換器７がモジュール４の底面に接続されている。それゆえ、図１に示す燃料電池装置１においては、外装ケースの大きさ（横幅や奥行き）をよりコンパクトとすることができる。
【００３５】
なお、本発明においては、熱交換器７として、プレートフィン型の熱交換器の他、水流通路を形成する配管の外壁に複数のフィンを排ガス流通路と平行となるように設けた熱交換器等を用いることができる。なお、以降の図において、プレートフィン型の熱交換器を用いて説明する。
【００３６】
そして、熱交換器７にて熱交換された後の排ガス（以下、熱交換後排ガスという場合がある。）は、外装ケース２に設けられた排気口８と熱交換器７との間の排気流路を流れて、排気口８より燃料電池装置１の外部に排気される。なお、図１における燃料電池装置１においては外装ケース２の側面に排気口８を設けた例を、図２における燃料電池装置２１においては外装ケース２の上面に排気口８を設けた例を示している。
【００３７】
ここで、燃料電池装置１を屋外に設置した場合に、燃料電池装置１の内部に雨水や風等が排気口８より燃料電池装置１内に入り込む場合がある。そして、雨水や風に含まれる不純物（雨水においては雨水に溶解している各種成分、風においてはほこり等を意味し、以降これらをまとめて不純物というものとする。）が熱交換器７内やモジュール４内に入り込むことで、熱交換器７やモジュール４に故障や異常が生じるおそれがある。
【００３８】
また、熱交換器７での熱交換により生じる凝縮水に不純物を多く含む雨水が混合した場合においては、凝縮水を浄化するためのイオン交換樹脂等の水処理装置（図示せず）の寿命が短くなるおそれがある。
【００３９】
それゆえ、本発明の燃料電池装置１においては、熱交換器７と排気口８とを接続する排気流路の途中にセパレート部材９を設け、熱交換器７と排気口８とがセパレート部材９を介して接続されている。それにより、排気口８より入り込む雨水や、風に含まれるほこり等は、セパレート部材９により収集される。それにより、熱交換器７やモジュール４内にこれらの不純物が入り込むことを抑制でき、故障や異常の発生を抑制することができる。
【００４０】
なお、図１および図２においては、セパレート部材９の底面側に燃料電池装置１（外装ケース２）の下方に向けて伸びる不純物排出管１０が接続されている。それにより、セパレート部材９にて収集された不純物は、不純物排出管１０を通じて、燃料電池装置１の外部に排出することができる。
【００４１】
また、排気口８は、外装ケース２の上面もしくは側面に設けることが好ましい。それにより、モジュール４にて生じる排ガス（熱交換後排ガス）を効率よく排気することができ、あわせて、セパレート部材９を有効に利用することができることにより、故障や異常を抑制できる燃料電池装置とすることができる。
【００４２】
また、図１に示す燃料電池装置１においては、熱交換器７の底面に、熱交換器７での熱交換により生じる凝縮水と熱交換後排ガスとを分離するための気液分離部材１１が接続されている。それにより、熱交換器７での熱交換により生じる凝縮水を効率よく回収することができる。なお、気液分離部材１１の底面側には、回収した凝縮水をイオン交換樹脂装置等の水処理装置（図示せず）に供給するための凝縮水供給管１２が接続されている。
【００４３】
すなわち、熱交換器７にて生じた凝縮水は、気液分離部材１１により凝縮水と熱交換後排ガスに分離され、分離された凝縮水が、凝縮水供給管１２を通じて水処理装置に供給されるとともに、分離された熱交換後排ガスが排気口８に向けて排気されることなる。
【００４４】
ここで、気液分離部材１１にて分離・回収される凝縮水に排気口８より入り込んだ雨水が混合した場合には、雨水に含まれる各種の不純物により、凝縮水を処理するイオン交換樹脂装置等の水処理装置の寿命が短くなるおそれがある。
【００４５】
それゆえ、本発明の燃料電池装置においては、熱交換器７（気液分離部材１１）と排気口８とを排気流路の途中にセパレート部材９介して接続することにより、気液分離部材１１に雨水が入り込むことを抑制することができることから、イオン交換樹脂装置等の水処理装置の寿命が短くなることも抑制することができる。
【００４６】
なお、気液分離部材１１は、熱交換器７の底面側に直接接続するほか、排気管により熱交換器７と気液分離部材１１とを接続するように配置することもできる。
【００４７】
さらにセパレート部材９は、熱交換器７や気液分離部材１１と別個に設けることもでき、また熱交換器７や気液分離部材１１の一部とすることもできる。さらには熱交換器７と排気口８とを排気管により接続する場合には、排気管の一部の形状を大きくし、その大きくした排気管の部位をセパレート部材とすることもできる。
【００４８】
図３に示す燃料電池装置３１においては、セパレート部材９の底面の一部に凹部１３を有するとともに、凹部１３と不純物排出管１０とが接続されている例を示している。
【００４９】
セパレート部材９の底面の一部に凹部１３を設けることにより、排気口８より入り込んだ雨水やほこり等の不純物をより効率よく収集することができ、熱交換器７やモジュール４内に不純物が入り込むことをより抑制することができる。
【００５０】
なお、排気口８より入り込んだ雨水やほこり等の不純物をより効率よく収集するにあたり、セパレート部材９の底面全体を凹部１３とすることもでき、図３に示したセパレート部材９においては底面全体を凹部１３とした例を示している。
【００５１】
なお、気液分離部材１１とセパレート部材９とを一体として構成することもでき、また気液分離部材１１とセパレート部材９とを排気管により接続して構成することもできる。
【００５２】
図４に示す燃料電池装置４１は、セパレート部材９が気液分離部材１１よりも高い位置に配置されるとともに、セパレート部材９と気液分離部材１１とが、モジュール４の発電により生じる排ガス（熱交換後排ガス）を排気するための排気管１４にて接続されている例を示している。なお、図４において排気管１４は、セパレート部材９より気液分離部材１１に向けて下側に傾斜して配置されている。
【００５３】
それにより、セパレート部材９が気液分離部材１１よりも高い位置に配置されていることから、モジュール４の発電により生じ、熱交換器７にて熱交換された後の排ガス（熱交換後排ガス）が排気管１４を流れる間に冷却されて凝縮水が生成された場合に、その生成された凝縮水は排気管１４を伝って気液分離部材１１に向けて流れることとなり、より多くの凝縮水を効率よく回収することができる。
【００５４】
なお、セパレート部材９が気液分離部材１１よりも高い位置に配置されているとは、セパレート部材９の底面が、気液分離部材１１の底面よりも高い位置となるように配置されていることを意味しており、さらに、排気管１４のセパレート部材９との接続部の位置と、排気管１４の気液分離部材１１との接続部の位置を比較した場合に、セパレート部材９との接続部の位置が気液分離部材１１との接続部の位置よりも高い位置となるように配置されていることが好ましい。それにより、排気管１４を流れる間に冷却されて生成された凝縮水が排気管１４を伝って気液分離部材１１に向けて流れやすくなる。
【００５５】
また、図４において、セパレート部材９と気液分離部材１１とを接続する排気管１４を、セパレート部材９より気液分離部材１１に向けて下側に傾斜して配置した例を示したが、排気管１４を流れる間に冷却されて生成された凝縮水が排気管１４を伝って気液分離部材１１に向けて流れることができれば、傾斜以外の形状とすることもできる。
【００５６】
また、セパレート部材９と気液分離部材１１とを排気管１４とで接続する例を示したが、セパレート部材９もしくは気液分離部材１１とを直接接続する形状とすることもできる。
【００５７】
一方、図５に示す燃料電池装置５１においては、セパレート部材９が気液分離部材１１よりも低い位置に配置されているとともに、セパレート部材９と気液分離部材１１とが、モジュール４の発電により生じる排ガス（熱交換後排ガス）を排気するための排気管１４にて接続されている例を示している。なお、図５において、排気管１４はセパレート部材９より気液分離部材１１に向けて上側に傾斜して配置されている。
【００５８】
それにより、排気口８より雨水や風が入り込んだ場合に、雨水や、風に含まれる不純物はセパレート部材９により収集され、燃料電池装置１の外部に排出される。
【００５９】
ところで、排気口８より入り込んだ風が、熱交換器７やモジュール４内に入り込んだ場合、燃料電池セルの発電出力が停止するとともに、燃料電池装置が緊急停止する等の問題が生じるおそれがある。
【００６０】
ここで、図５に示す燃料電池装置５１においては、排気管１４がセパレート部材９より気液分離部材１１に向けて上側に傾斜して配置されていることから、排気口８から風が入り込んだ場合に、その風が熱交換器７側に流れ込むことを抑制することができ、それにより、モジュール４や熱交換器７の故障や異常の発生を抑制することができる。
【００６１】
なお、セパレート部材９が気液分離部材１１よりも低い位置に配置されているとは、セパレート部材９の底面が、気液分離部材１１の底面よりも高い位置となるように配置されていることを意味しており、さらに、排気管１４のセパレート部材９との接続部の位置と、排気管１４の気液分離部材１１との接続部の位置を比較した場合に、セパレート部材９との接続部の位置が気液分離部材１１との接続部の位置よりも低い位置となるように配置されていることが好ましい。それにより、排気口８より入り込んだ風が、熱交換器７側へ流れることを抑制できる。
【００６２】
また、図５において、セパレート部材９と気液分離部材１１とを接続する排気管１４を、パレート部材８より気液分離部材１１に向けて上側に傾斜して配置した例を示したが、排気口８より入り込んだ風が、熱交換器７側へ流れることを抑制できれば、傾斜以外の形状とすることもできる。
【００６３】
また、気液分離部材１１で分離された凝縮水が、排気管１４を伝ってセパレート部材９に流れると、凝縮水の回収効率が低下するため、例えば気液分離部材１１の底面の一部もしくは全部を凹部とし、その凹部に（凹部の最も下方に位置する部位に）凝縮水供給管１２を接続することにより、気液分離部材１１で分離された凝縮水が排気管１４を伝ってセパレート部材９側に流れることを抑制することができる。さらには、気液分離部材１１と排気管１４との接続部の下端側に、凝縮水がセパレート部材９側へ流れないように、例えば板状の部材を設けることもできる。
【００６４】
また、セパレート部材９と気液分離部材１１とを排気管１４とで接続する例を示したが、セパレート部材９もしくは気液分離部材１１とを直接接続する形状とすることもできる。
【００６５】
図６に示す燃料電池装置６１は、セパレート部材９と気液分離部材１１とが排気管１４により接続されるとともに、排気管１４が一旦上方に向かった後下方に折り返すように屈曲した形状である例を示している。
【００６６】
排気管１４を一旦上方に向かった後下方に折り返すように屈曲させることにより、排気口８より風が入り込んだ場合は、風が熱交換器７側に向けて流れることを抑制でき、モジュール４や熱交換器７の故障や異常の発生を抑制する、もしくは燃料電池セルの発電出力が停止する、燃料電池装置が緊急停止することを抑制することができる。
【００６７】
さらに、熱交換後排ガスが一旦上方に向かった後下方に折り返すように屈曲した排気管１４を上方に向けて流れる間に冷却されて生成された凝縮水は、気液分離部材１１に流れる（滴下する）こととなり、それにより多くの凝縮水を効率よく回収することができる。
【００６８】
ちなみに、セパレート部材９と気液分離部材１１とを接続する排気管１４が一旦上方に向かった後下方に折り返すように屈曲した形状である場合には、セパレート部材９と気液分離部材１１とを同じ高さに配置してもよく、また排気口８より入り込む風が熱交換器７側に向けて流れることを抑制することに重点をおく場合にはセパレート部材９を気液分離部材１１よりも低い位置に配置することが好ましく、また排気管１４を流れる間に生成される凝縮水を多く回収することに重点をおく場合にはセパレート部材９を気液分離部材１１よりも高い位置に配置することが好ましい。
【００６９】
なお、排気管１４を一旦上方に向かった後下方に折り返すように屈曲させるにあたっては、熱交換後排ガスの排気効率を考慮した上で、排気管１４の長さを熱交換後排ガスの排気を十分に行うことができる長さとすることが好ましい。
【００７０】
図７に示す燃料電池装置７１は、図６に示した燃料電池装置６１において、気液分離部材１１の底面１５がセパレート部材９側より凝縮水供給管１２に向けて下側に傾斜している例を示している。
【００７１】
このような燃料電池装置７１においては、熱交換後排ガスが一旦上方に向かった後下方に折り返すように屈曲した排気管１４を上方に向けて流れる間に冷却されて生成された凝縮水は、気液分離部材１１の底面をセパレート部材９側より凝縮水供給管１２に向けて流れることから、より多くの凝縮水を効率よく回収することができる。
【００７２】
なお、気液分離部材１１の底面全体を凹部とし、その凹部に凝縮水供給管１２を接続することもできる。この場合においては、熱交換器７での熱交換により生じる凝縮水と、排気管１４を上方に向けて流れる間に冷却されて生成された凝縮水とを、効率よく回収することができる。
【００７３】
以上、本発明について詳細に説明したが、本発明は上述の実施の形態に限定されるものではなく、本発明の要旨を逸脱しない範囲内において、種々の変更、改良等が可能である。
【００７４】
例えば、排気口８にフィルター等の不純物流入抑制部材を設けることもできる。それにより大きいサイズの不純物（落ち葉等）が燃料電池装置内に入り込むことを抑制できる。また排気口８の外側に、雨水が燃料電池装置内に入り込むことを抑制するための雨よけ部材を設けることもできる。
【図面の簡単な説明】
【００７５】
【図１】本発明の燃料電池装置の一例を示す概略図である。
【図２】本発明の燃料電池装置の他の一例を示し、排気口が外装ケースの上面に設けられていることを示す概略図である。
【図３】本発明の燃料電池装置のさらに他の一例を示し、セパレート部材の底面が凹部を有していることを示す概略図である。
【図４】本発明の燃料電池装置のさらに他の一例を示し、セパレート部材が気液分離部材よりも高い位置に配置されていることを示す概略図である。
【図５】本発明の燃料電池装置のさらに他の一例を示し、セパレート部材が気液分離部材よりも低い位置に配置されていることを示す概略図である。
【図６】本発明の燃料電池装置のさらに他の一例を示し、セパレート部材と気液分離部材とを接続する排気管が上方に屈曲していることを示す概略図である。
【図７】本発明の燃料電池装置のさらに他の一例を示し、気液分離部材の底面が凝縮水供給管に向けて傾斜していることを示す概略図である。
【符号の説明】
【００７６】
１、２１、３１、４１、５１、６１、７１：燃料電池装置
２：外装ケース
３：仕切部材
４：モジュール
５：モジュール収納室
６：補機収納室
７：熱交換器
８：排気口
９：セパレート部材
１０：不純物排出管
１１：気液分離部材
１２：凝縮水供給管
１４：排気管
【図１】
2009181701.tif 000003
【図２】
2009181701.tif 000004
【図３】
2009181701.tif 000005
【図４】
2009181701.tif 000006
【図５】
2009181701.tif 000007
【図６】
2009181701.tif 000008
【図７】
2009181701.tif 000009